(57)【要約】【課題】鏡筒外周面に配設されるフレキシブルプリント基板の安定保持を確保し、作業性にも優れた固体撮像装置を提供する。【解決手段】少なくとも、可撓性を有する配線基板と、該配線基板に実装された固体撮像素子と、該固体撮像素子に被写体像を形成する光学部材と、該光学部材を支持する光学部材支持部と、該光学部材支持部を嵌合配置する嵌合部と、これに一体成形された矩形脚部を有するベースとから成る鏡筒と、を備え、前記ベースの矩形脚部が前記配線基板に固定され、前記配線基板を前記鏡筒の側面に沿って折り曲げ、前記鏡筒の外周面に対向して配設した固体撮像装置において、前記鏡筒の側面外周部位に、前記配線基板をガイド保持するためのガイド保持部を設けた固体撮像装置とする。【選択図】図１
2008092237.tif 000002
【特許請求の範囲】
【請求項１】
少なくとも、可撓性を有する配線基板と、
該配線基板に実装された固体撮像素子と、
該固体撮像素子に被写体像を形成する光学部材と、
該光学部材を支持する光学部材支持部と、
該光学部材支持部を嵌合配置する嵌合部と、これに一体成形された矩形脚部を有するベースとから成る鏡筒と、を備え、
前記ベースの矩形脚部が前記配線基板に固定され、前記配線基板を前記鏡筒の側面に沿って折り曲げ、前記鏡筒の外周面に対向して配設した固体撮像装置において、
前記鏡筒の側面外周部位に、前記配線基板をガイド保持するためのガイド保持部を設けたことを特徴とする固体撮像装置。
【請求項２】
前記ガイド保持部は、前記光学部材支持部のフランジ部に設けた凸状部であり、該凸状部は、前記フランジ部から光軸に対し平行で、且つ前記矩形脚部の方向に突出すると共に、前記光学支持部材の外周面を取り囲むようにして形成された第１ガイド部と、
前記ベースの矩形脚部上面部に設けられた凸状部であり、該凸状部は、前記矩形脚部から光軸に対し平行で、且つ前記第１のガイド部の凸状部と対称位置に対向して設けられると共に、前記ベースの嵌合部の外周面を取り囲むようにして形成された第２ガイド部とから成り、
前記光学部材支持部の外周面と前記第１ガイド部の間に形成された間隙と、前記ベースの嵌合部の外周面と前記第２ガイド部の間に形成された間隙に、前記配線基板の側端部を挟み込んで保持する構成であることを特徴とする請求項１に記載の固体撮像装置。
【請求項３】
前記ガイド保持部は、前記ベースの嵌合部側面に設けられ、光軸に対し直交する方向に突出した突起部であり、前記配線基板に設けられた前記突起部に対応する穴部を、前記突起部に係合して前記配線基板を位置決めすると共に、前記突起部を熱カシメすることによって保持固定する構成であることを特徴とする請求項１に記載の固体撮像装置。
【発明の詳細な説明】
【技術分野】
【０００１】
本発明は、ＣＣＤやＣＭＯＳ等を用いた固体撮像装置に関するものである。
【背景技術】
【０００２】
近年、小型の固体撮像装置が製品化され、携帯電話等の小型携帯機器に多く用いられている。前記固体撮像装置は、レンズを支持した鏡筒、固体撮像素子、該固体撮像素子からの信号を処理するＩＣチップ等の電子部品等から構成されている。前記固体撮像装置における前記電子部品の配置構成については、様々な手法が提案されている。
【０００３】
前記電子部品は、通常、フレキシブルプリント基板に実装されており、前記鏡筒の内周面、又は外周面に沿うように折り曲げて配置する構成のものがある。
図５は、従来技術を示し、フレキシブルプリント基板をレンズ鏡筒内に収納した状態を示す断面図である。
レンズ鏡筒２０１の内壁面に沿って多角形の環状に折り曲げた状態でレンズ鏡筒２０１内に収納するフレキシブルプリント基板２０２は、電子部品２０３が実装された平面部２０２ａと、隣接する平面部２０２ａ間を接続する帯状に形成された接続部２０２ｂとを有して構成されている。レンズ鏡筒２０１内に収納する際には、台座２０４の外周部に沿って台座２０４の平面部２０４ａに前記フレキシブルプリント基板２０２の平面部２０２ａを、鏡筒２０１と台座２０４の空間に収納する。このとき、レンズ鏡筒２０１の径に応じて接続部２０２ｂを折り畳んで調節することにより、平面部２０２ａ同士の間隔を調節している。前記のようなフレキシブルプリント基板の配置構成は、レンズの構成や光束径が異なる様々なレンズ鏡筒に共通して用いることができるというものである。（例えば、特許文献１参照）
【０００４】
図６は、従来技術のフレキシブルプリント基板をレンズ鏡筒に貼り付けた状態を示す断面図である。
撮影光学系の光軸まわりに設けられた固定筒３０１の円筒面３０２に円周方向に沿って貼り付けられたフレキシブルプリント基板３０３を備えるレンズ鏡筒３０４であって、固定筒３０１は、フレキシブルプリント基板３０３の円周方向の端部付近が貼り付けられる端部貼り付け部３０５と、フレキシブルプリント基板の端部付近以外の部分が貼り付けられる通常貼り付け部３０６とを有している。前記フレキシブルプリント基板３０３は、両面テープ等の接着手段によって、固定筒３０１の円筒面３０２に貼り付けられている。
（例えば、特許文献２参照）
【０００５】
図７は、従来技術による固体撮像装置の斜視図である。図８は、図７の分解斜視図である。図７及び図８の各々は、電子部品が実装されたフレキシブルプリント基板を鏡筒外周面に配置した構成である。
【０００６】
４０１は可撓性を有する配線基板であり、該配線基板４０１には、固体撮像素子４０２が実装されている。４０３は前記固体撮像素子４０２に被写体像を形成する光学部材で、
４０４は、前記光学部材４０３を支持する光学部材支持部である。また、ベース４０５は、前記光学部材支持部４０４を嵌合配置する嵌合部４０５ａと、これに一体成形された矩形脚部４０５ｂを有して構成されており、前記光学部材支持部４０４が前記ベース４０５に嵌合配置されて鏡筒を構成している。
【０００７】
前記ベース４０５の矩形脚部４０５ｂは前記配線基板４０１に固定され、前記配線基板４０１が前記鏡筒の側面に沿って折り曲げられ、前記鏡筒の外周面に対向して配置固定された固体撮像装置である。尚、前記配線基板４０１の前記鏡筒外周面への固定は、前記ベース４０５の嵌合部４０５ａの平坦部に貼りつけた両面テープ４０６によるものである。
【０００８】
【特許文献１】特開平７−２８３５６３号公報
【特許文献２】特開２００４−３７８２５号公報
【発明の開示】
【発明が解決しようとする課題】
【０００９】
前述のように、鏡筒の外周面、若しくは内周面にフレキシブルプリント基板を配置するためには、前記鏡筒の外周面や内周面に沿って折り曲げる必要があり、折り曲げによる反発力で基板の浮き上がりを防止するよう強固に固定する必要がある。前記図６と図７に示す従来技術では、例えば、両面テープによって固定しているが、該両面テープを用いた場合には、保持力が確実とは言えず、剥がれの虞がある。フレキシブルプリント基板の剥離が生じた場合には、様々な不良を引き起こす結果となってしまう。また、作業性が悪く、部品点数が増加することによるコストアップの要因となる。また、図６や図７のように内周面に配置する構成では小型化に向かない。
【００１０】
そこで、本発明は、鏡筒外周面に配設されるフレキシブルプリント基板の安定保持を確保し、作業性にも優れた固体撮像装置を提供しようとするものである。
【課題を解決するための手段】
【００１１】
少なくとも、可撓性を有する配線基板と、
該配線基板に実装された固体撮像素子と、
該固体撮像素子に被写体像を形成する光学部材と、
該光学部材を支持する光学部材支持部と、
該光学部材支持部を嵌合配置する嵌合部と、これに一体成形された矩形脚部を有するベースとから成る鏡筒と、を備え、
前記ベースの矩形脚部が前記配線基板に固定され、前記配線基板を前記鏡筒の側面に沿って折り曲げ、前記鏡筒の外周面に対向して配設した固体撮像装置において、
前記鏡筒の側面外周部位に、前記配線基板をガイド保持するためのガイド保持部を設けた固体撮像装置とする。
【００１２】
前記ガイド保持部は、前記光学部材支持部のフランジ部に設けた凸状部であり、該凸状部は、前記フランジ部から光軸に対し平行で、且つ前記矩形脚部の方向に突出すると共に、前記光学支持部材の外周面を取り囲むようにして形成された第１ガイド部と、
前記ベースの矩形脚部上面部に設けられた凸状部であり、該凸状部は、前記矩形脚部から光軸に対し平行で、且つ前記第１のガイド部の凸状部と対称位置に対向して設けられると共に、前記ベースの嵌合部の外周面を取り囲むようにして形成された第２ガイド部とから成り、
前記光学部材支持部の外周面と前記第１ガイド部の間に形成された間隙と、前記ベースの嵌合部の外周面と前記第２ガイド部の間に形成された間隙に、前記配線基板の側端部を挟み込んで保持する構成である固体撮像装置とする。
【００１３】
前記ガイド保持部は、前記ベースの嵌合部側面に設けられ、光軸に対し直交する方向に突出した突起部であり、前記配線基板に設けられた前記突起部に対応する穴部を、前記突起部に係合して前記配線基板を位置決めすると共に、前記突起部を熱カシメすることによって保持固定する構成である固体撮像装置とする。
【発明の効果】
【００１４】
鏡筒のフランジ部と矩形脚部に設けたガイド保持部で配線基板をガイド保持することにより、剥離等の問題がなく安定した配置が可能になる。
【００１５】
鏡筒の嵌合部側面に設けた突起部と配線基板の穴部を係合させ、熱カシメすることによって前記配線基板をガイド保持するので、容易な位置決め、安定した配置が可能になる。
【発明を実施するための最良の形態】
【００１６】
前記鏡筒の側面外周部位に、前記配線基板をガイド保持するためのガイド保持部を設け、前記配線基板の容易な位置決め、安定配置を実現する。
以下、図面に基づき本発明の実施形態を説明する。
【実施例１】
【００１７】
図１は本発明の一実施形態で固体撮像装置の斜視図である、図２は本発明の個体撮像装置の分解斜視図である。図３は本発明の固体撮像装置の断面図である。
【００１８】
１１は可撓性を有する配線基板（フレキシブルプリント基板）であり、該配線基板１１には、固体撮像素子１２が実装されており、図示しない金属ワイヤーやバンプ金属を介して電気的に接続されている。１３は前記固体撮像素子１２に被写体像を形成するガラスや樹脂材料によって形成された光学部材で、１４は、前記光学部材１３を支持する光学部材支持部である。またベース１５は前記光学部材支持部１４を嵌合配置する嵌合部１５ａと、これに一体形成された矩形脚部１５ｂを有して構成されており、前記光学部材支持部１４が前記ベース１５に嵌合配置されて鏡筒を構成している。
【００１９】
前記光学部材支持部１４と前記ベース１５で構成される鏡筒には、ガイド保持部材となる第１ガイド部１４ａと第２ガイド部１５ｃが形成されている。前記第１ガイド部１４ａは、前記光学部材支持部１４のフランジ部に設けた凸状部で、前記フランジ部から光軸に対し平行で、且つ前記矩形脚部１５ｂの方向に突出すると共に、前記光学支持部材１４の外周面を取り囲むようにして形成されている。また、前記第２ガイド部１５ｃは、前記ベース１５の矩形脚部１５ｂ上面部に設けられた凸状部で、前記矩形脚部１５ｂから光軸に対し平行で、且つ前記第１ガイド部１４ａと対称位置に対向して設けられると共に、前記ベース１５の嵌合部１５ａの外周面を取り囲むようにして形成されたものである。
【００２０】
前記配線基板１１は、前記光学部材支持部１４の外周面と前記第１ガイド部１４ａの間に形成された間隙と、前記ベース１５の嵌合部１５ａの外周面と前記第２ガイド部１５ｃの間に形成された間隙に、前記配線基板１１の側端部を挟み込んで保持した構成である。該構成によれば、前記配線基板１１の位置決めが容易になると共に、剥がれ等が生ずることなく安定した配置が可能になる。また、従来利用していた両面テープ等による接着手段は省略することができる。
【００２１】
尚、本実施形態においては、前記ベース１５に、前記配線基板１１を折り曲げ配置するための平面部１５ｄが形成されているため、前記第２ガイド部は１５ｃはその一部が切り欠かれた形状になっている。また、これに合わせた形状で前記第１ガイド部１４ａも形成されているので、前記光学部材支持部１４をベース１５の嵌合部１５ａに組み込んだ後、前記配線基板１１を前記切り欠かれた部分から挿入して配置することができる。
【００２２】
また、光学部材支持部材１４をベース１５の嵌合部１５ａに組み込む前に、配線基板１１をベース１５側面に折り曲げ、嵌合部１５ａ外周に沿わすように、第２ガイド部１５ｃと嵌合部１５ａの間隙に配置し、光学部材支持部材１４を嵌合部１５ａに挿入して前記配線基板１１を保持固定してもよい。
【実施例２】
【００２３】
図４は本発明の他の実施形態で固体撮像装置の分解斜視図である。前記実施例１と共通する部分についての詳細な説明は省略する。  
【００２４】
２０ｂは、ベース２０の嵌合部２０ａの側面部に設けた突起部である。２１は配線基板で、鏡筒外周面に配置される面には、前記突起部２０ｂに対応する穴部２１ａが設けられている。前記配線基板２１を配置する際には、前記突起部２０ｂに前記穴部２１ａを係合して配置する。これにより位置決めが容易になる。また、前記配線基板２１を前記突起部２０ｂにより位置決め配置した後、前記突起部２０ｂを熱カシメして保持固定する。該構成によれば、前記配線基板２１の剥がれ等が生ずることなく安定した配置が可能になる。また、従来利用していた両面テープ等による接着手段は省略することができる。
【００２５】
また、本実施形態では、突起部２０ｂを一箇所に設けたものであるが、複数箇所に設けることも可能である。
【図面の簡単な説明】
【００２６】
【図１】本発明による一実施形態で、固体撮像装置の斜視図である。（実施例１）
【図２】本発明の固体撮像装置の分解斜視図である。（実施例１）
【図３】本発明の固体撮像装置の断面図である（実施例１）
【図４】本発明の他の実施形態で、固体撮像装置の分解斜視図である（実施例２）
【図５】従来技術示し、フレキシブルプリント基板をレンズ鏡筒内に収納した状態を示す断面図。
【図６】従来技術示し、フレキシブルプリント基板をレンズ鏡筒に貼り付けた状態を示す断面図。
【図７】従来技術による、従来技術による固体撮像装置の斜視図である。
【図８】図７の分解斜視図である。
【符号の説明】
【００２７】
１１      配線基板
１２      固体撮像素子
１３      光学部材
１４      光学部材支持部
１４ａ    第１ガイド部
１５ａ    嵌合部
１５ｂ    矩形脚部
１５ｃ    第２ガイド部
１５ｄ    平面部
２０      ベース
２０ａ    嵌合部
２０ｂ    突起部
２１      配線基板
２１ａ    穴部
２０１    レンズ鏡筒
２０２    フレキシブルプリント基板
２０２ａ  平面部
２０２ｂ  接続部
２０３    電子部品
２０４ａ  平面部
３０１    固定筒
３０２    円筒面
３０３    フレキシブルプリント基板
３０４    レンズ鏡筒
３０５    端部貼り付け部
３０６    通常貼り付け部
４０１    配線基板
４０２    固体撮像素子
４０３    光学部材
４０４    光学部材支持部
４０５    ベース
４０５ａ  嵌合部
４０５ｂ  矩形脚部
４０６    両面テープ
【図１】
2008092237.tif 000003
【図２】
2008092237.tif 000004
【図３】
2008092237.tif 000005
【図４】
2008092237.tif 000006
【図５】
2008092237.tif 000007
【図６】
2008092237.tif 000008
【図７】
2008092237.tif 000009
【図８】
2008092237.tif 000010